(57)【要約】方法および装置は、電気電子学会（ＩＥＥＥ）８０２．１１波形における残留周波数オフセット推定および修正を実行することおよび利用することのために提供される。本開示のある態様は、残留周波数エラーがある状態でさえ、信号対雑音比（ＳＮＲ）＞３３ｄＢを備えるよいチャネル推定を実行することを可能にすることのための技術を提供する。さらに、ある態様は、クライアント側で残留周波数オフセットが存在する場合でさえ、アップリンク空間分割多元接続（ＵＬ−ＳＤＭＡ）のサポートすることができる
2013520083.tif 000002
【特許請求の範囲】
【請求項１】
第１のシンボルと第２のシンボルを備える、フレーム構造のロングトレーニングフィールド（ＬＴＦ）と前記ＬＴＦに続く第３のシンボルとを備える、
前記第１のシンボルおよび第２のシンボルのうちの少なくとも１つに基づいて周波数オフセットを決定することと、
前記第３のシンボルに少なくとも部分的に基づいて１つまたは複数の位相オフセットを決定することと、
前記１つまたは複数の位相オフセットに基づいて前記周波数オフセットを調整することと
を備える、ワイヤレス通信のための方法。
【請求項２】
前記１つまたは複数の位相オフセットを決定することは、前記ＬＴＦに続く少なくとも前記第３のシンボル、第４のシンボル、および第５のシンボルに基づいて少なくとも１つの位相オフセットを決定することを備える、
請求項１に記載の方法。
【請求項３】
前記第３のシンボルは、レガシー信号（Ｌ−ＳＩＧ）シンボルを備え、前記第４のシンボルおよび第５のシンボルは、超高速スループット信号Ａ（ＶＨＴ−ＳＩＧＡ）シンボルを備える、
請求項２に記載の方法。
【請求項４】
前記１つまたは複数の位相オフセットを決定することは、前記第１のシンボル乃至第５のシンボルに基づいて最大尤度（ＭＬ）検出を使用することを備える、
請求項２に記載の方法。
【請求項５】
前記調整された周波数オフセットを使用して信号を送信することをさらに備える、
請求項１に記載の方法。
【請求項６】
前記調整された周波数オフセットを使用することは、送信されるべき前記信号のサンプルに前記調整された周波数オフセットの逆数を適用することを備える、
請求項５に記載の方法。
【請求項７】
前記信号を送信することは、マルチユーザプロトコルを使用して前記信号を送信することを備える、
請求項５に記載の方法。
【請求項８】
前記マルチユーザプロトコルは、空間分割多元接続（ＳＤＭＡ）または直交周波数多元接続（ＯＦＤＭＡ）のうちの少なくとも１つを備える、
請求項７に記載の方法。
【請求項９】
受信した信号を処理するとき、前記調整された周波数オフセットを使用することをさらに備える、
請求項１に記載の方法。
【請求項１０】
前記受信した信号は、マルチユーザプロトコルを使用して送信される、
請求項９に記載の方法。
【請求項１１】
前記マルチユーザプロトコルは、空間分割多元接続（ＳＤＭＡ）または直交周波数多元接続（ＯＦＤＭＡ）のうちの少なくとも１つを備える、
請求項１０に記載の方法。
【請求項１２】
前記第３のシンボルは、超高速スループット信号Ａ（ＶＨ−ＳＩＧＡ）を備える、
請求項１に記載の方法。
【請求項１３】
前記１つまたは複数の位相オフセットを決定することは、前記第１のシンボルおよび前記第３のシンボルに基づいて１つまたは複数の位相オフセットを決定することを備え、前記第１のシンボルのスタートと前記第３のシンボルのスタートとの間に少なくとも１６μｓある、
請求項１に記載の方法。
【請求項１４】
前記１つまたは複数の位相オフセットを決定することは、全てのサブキャリアの平均コンステレーション位相エラーを使用して前記１つまたは複数の位相オフセットを決定することを備える、
請求項１に記載の方法。
【請求項１５】
第１のシンボルおよび第２のシンボルを備える、フレーム構造のロングトレーニングフィールド（ＬＴＦ）と、前記ＬＴＦに続く第３のシンボルを受信するように構成された受信機と、
前記第１のシンボルおよび第２のシンボルのうちの少なくとも１つに基づいて周波数オフセットを決定し、
前記第３のシンボルに少なくとも部分的に基づいて１つまたは複数の位相オフセットを決定し、
前記１つまたは複数の位相オフセットに基づいて前記周波数オフセットを調整する
ように構成された少なくとも１つのプロセッサと、
前記少なくとも１つのプロセッサに接続されるメモリと
を備える、ワイヤレス通信のための装置。
【請求項１６】
前記少なくとも１つのプロセッサは、前記ＬＴＦに続く少なくとも前記第３のシンボル、第４のシンボル、および第５のシンボルに基づいて少なくとも１つの位相オフセットを決定することによって前記１つまたは複数の位相オフセットを決定するように構成される、
請求項１５に記載の装置。
【請求項１７】
前記第３のシンボルは、レガシー信号（Ｌ−ＳＩＧ）シンボルを備え、前記第４のシンボルおよび第５のシンボルは、超高速スループット信号Ａ（ＶＨＴ−ＳＩＧＡ）シンボルを備える、
請求項１６に記載の装置。
【請求項１８】
前記少なくとも１つのプロセッサは、前記第１のシンボル乃至第５のシンボルに基づいて最大尤度（ＭＬ）検出を使用することによって前記１つまたは複数の位相オフセットを決定するように構成される、
請求項１６に記載の装置。
【請求項１９】
前記調整された周波数オフセットを使用して信号を送信するように構成される送信機をさらに備える、
請求項１５に記載の装置。
【請求項２０】
前記少なくとも１つのプロセッサは、送信されるべき前記信号のサンプルに前記調整された周波数オフセットの逆数を適用するように構成される、
請求項１９に記載の装置。
【請求項２１】
前記送信機は、マルチユーザプロトコルを使用して前記信号を送信するように構成される、
請求項１９に記載の装置。
【請求項２２】
前記マルチユーザプロトコルは、空間分割多元接続（ＳＤＭＡ）または直交周波数多元接続（ＯＦＤＭＡ）のうちの少なくとも１つを備える、
請求項２１に記載の装置。
【請求項２３】
前記少なくとも１つのプロセッサは、受信した信号を処理するとき、前記調整された周波数オフセットを使用するように構成される、
請求項１５に記載の装置。
【請求項２４】
前記受信信号は、マルチユーザプロトコルを使用して送信される、
請求項２３に記載の装置。
【請求項２５】
前記マルチユーザプロトコルは、空間分割多元接続（ＳＤＭＡ）または直交周波数多元接続（ＯＦＤＭＡ）のうちの少なくとも１つを備える、
請求項２４に記載の装置。
【請求項２６】
前記第３のシンボルは、超高速スループット信号Ａ（ＶＨ−ＳＩＧＡ）を備える、
請求項１５に記載の装置。
【請求項２７】
前記１つまたは複数の位相オフセットを決定することは、前記第１のシンボルおよび前記第３のシンボルに基づいて１つまたは複数の位相オフセットを決定することを備え、前記第１のシンボルのスタートと前記第３のシンボルのスタートとの間に少なくとも１６μｓある、
請求項１５に記載の装置。
【請求項２８】
前記１つまたは複数の位相オフセットを決定することは、全てのサブキャリアの平均コンステレーション位相エラーを使用して前記１つまたは複数の位相オフセットを決定することを備える、
請求項１５に記載の装置。
【請求項２９】
第１のシンボルおよび第２のシンボルを備える、フレーム構造のロングトレーニングフィールド（ＬＴＦ）と、前記ＬＴＦに続く第３のシンボルとを受信するための手段と、
前記第１のシンボルおよび第２のシンボルのうちの少なくとも１つに基づいて周波数オフセットを決定するための手段と、
前記第３のシンボルに少なくとも部分的に基づいて１つまたは複数の位相オフセットを決定するための手段と、
前記１つまたは複数の位相オフセットに基づいて前記周波数オフセットを調整するための手段と
を備える、ワイヤレス通信のための装置。
【請求項３０】
前記１つまたは複数の位相オフセットを決定するための手段は、前記ＬＴＦに続く少なくとも前記第３のシンボル、第４のシンボル、および第５のシンボルに基づいて少なくとも１つの位相オフセットを決定するように構成される、
請求項２９に記載の装置。
【請求項３１】
前記第３のシンボルは、レガシー信号（Ｌ−ＳＩＧ）シンボルを備え、前記第４のシンボルおよび第５のシンボルは、超高速スループット信号Ａ（ＶＨＴ−ＳＩＧＡ）シンボルを備える、
請求項３０に記載の装置。
【請求項３２】
前記１つまたは複数の位相オフセットを決定するための手段は、前記第１のシンボル乃至第５のシンボルに基づいて最大尤度（ＭＬ）検出を使用するように構成される、
請求項３０に記載の装置。
【請求項３３】
前記調整された周波数オフセットを使用して信号を送信するための手段をさらに備える、
請求項２９に記載の装置。
【請求項３４】
送信されるべき前記信号のサンプルに前記調整された周波数オフセットの逆数を適用するための手段をさらに備える、
請求項３３に記載の装置。
【請求項３５】
前記信号を送信するための手段は、マルチユーザプロトコルを使用して前記信号を送信するように構成される、
請求項３３に記載の装置。
【請求項３６】
前記マルチユーザプロトコルは、空間分割多元接続（ＳＤＭＡ）または直交周波数多元接続（ＯＦＤＭＡ）のうちの少なくとも１つを備える、
請求項３５に記載の装置。
【請求項３７】
前記調整された周波数オフセットを使用するための手段をさらに備える、
請求項２９に記載の装置。
【請求項３８】
前記受信した信号は、マルチユーザプロトコルを使用して送信される、
請求項３７に記載の装置。
【請求項３９】
前記マルチユーザプロトコルは、空間分割多元接続（ＳＤＭＡ）または直交周波数多元接続（ＯＦＤＭＡ）のうちの少なくとも１つを備える、
請求項３８に記載の装置。
【請求項４０】
前記第３のシンボルは、超高速スループット信号Ａ（ＶＨ−ＳＩＧＡ）を備える、
請求項２９に記載の装置。
【請求項４１】
前記１つまたは複数の位相オフセットを決定するための手段は、前記第１のシンボルおよび前記第３のシンボルに基づいて１つまたは複数の位相オフセットを決定するように構成され、前記第１のシンボルのスタートと前記第３のシンボルのスタートとの間に少なくとも１６μｓある、
請求項２９に記載の装置。
【請求項４２】
前記１つまたは複数の位相オフセットを決定するための手段は、全てのサブキャリアの平均コンステレーション位相エラーを使用して前記１つまたは複数の位相オフセットを決定するための手段を備える、
請求項２９に記載の装置。
【請求項４３】
その上に格納された命令を有するコンピュータ可読媒体を備えるワイヤレス通信のためのコンピュータプログラム製品であって、前記命令は、１つまたは複数のプロセッサによって実行可能であり、前記命令は、
第１のシンボルおよび第２のシンボルを備える、フレーム構造のロングトレーニングフィールド（ＬＴＦ）と、前記ＬＴＦに続く第３のシンボルとを受信するための命令と、
前記第１のシンボルおよび第２のシンボルのうちの少なくとも１つに基づいて周波数オフセットを決定するための命令と、
前記第３のシンボルに少なくとも部分的に基づいて１つまたは複数の位相オフセットを決定するための命令と、
前記１つまたは複数の位相オフセットに基づいて前記周波数オフセットを調整するための命令と
を備える、コンピュータプログラム製品。
【請求項４４】
前記１つまたは複数の位相オフセットを決定するための命令は、前記ＬＴＦに続く少なくとも前記第３のシンボル、第４のシンボル、および第５のシンボルに基づいて少なくとも１つの位相オフセットを決定するための命令を備える、
請求項４４に記載のコンピュータプログラム製品。
【請求項４５】
前記第３のシンボルは、レガシー信号（Ｌ−ＳＩＧ）シンボルを備え、前記第４のシンボルおよび第５のシンボルは、超高速スループット信号Ａ（ＶＨＴ−ＳＩＧＡ）シンボルを備える、
請求項４４に記載のコンピュータプログラム製品。
【請求項４６】
前記１つまたは複数の位相オフセットを決定するための前記命令は、前記第１のシンボル乃至第５のシンボルに基づいて最大尤度（ＭＬ）検出を使用するための命令を備える、
請求項４４に記載のコンピュータプログラム製品。
【請求項４７】
前記調整された周波数オフセットを使用して信号を送信するための命令をさらに備える、
請求項４３に記載のコンピュータプログラム製品。
【請求項４８】
前記調整された周波数オフセットを使用するための前記命令は、送信されるべき前記信号のサンプルに前記調整された周波数オフセットの逆数を適用するための命令を備える、
請求項４７に記載のコンピュータプログラム製品。
【請求項４９】
前記信号を送信するための前記命令は、マルチユーザプロトコルを使用して前記信号を送信するための命令を備える、
請求項４７に記載のコンピュータプログラム製品。
【請求項５０】
前記マルチユーザプロトコルは、空間分割多元接続（ＳＤＭＡ）または直交周波数多元接続（ＯＦＤＭＡ）のうちの少なくとも１つを備える、
請求項４９に記載のコンピュータプログラム製品。
【請求項５１】
受信した信号を処理するとき、前記調整された周波数オフセットを使用するための命令をさらに備える、
請求項４３に記載のコンピュータプログラム製品。
【請求項５２】
前記受信した信号は、マルチユーザプロトコルを使用して送信される、
請求項５１に記載のコンピュータプログラム製品。
【請求項５３】
前記マルチユーザプロトコルは、空間分割多元接続（ＳＤＭＡ）または直交周波数多元接続（ＯＦＤＭＡ）のうちの少なくとも１つを備える、
請求項５２に記載のコンピュータプログラム製品
【請求項５４】
前記第３のシンボルは、超高速スループット信号Ａ（ＶＨ−ＳＩＧＡ）を備える、
請求項４３に記載のコンピュータプログラム製品。
【請求項５５】
前記１つまたは複数の位相オフセットを決定するための前記命令は、前記第１のシンボルおよび前記第３のシンボルに基づいて１つまたは複数の位相オフセットを決定するための命令を備え、前記第１のシンボルのスタートと前記第３のシンボルのスタートとの間に少なくとも１６μｓある、
請求項４３に記載のコンピュータプログラム製品。
【請求項５６】
前記１つまたは複数の位相オフセットを決定するための前記命令は、全てのサブキャリアの平均コンステレーション位相エラーを使用して前記１つまたは複数の位相オフセットを決定するための命令を備える、
請求項４３に記載のコンピュータプログラム製品。
【発明の詳細な説明】
【関連出願】
【０００１】
本願は、その全体が参照によって本明細書に明示的に組み込まれている、２０１０年２月１０日に出願された「ＭＥＴＨＯＤ  ＴＯ  ＰＥＲＦＯＲＭ  ＲＥＳＩＤＵＡＬ  ＦＲＥＱＵＥＮＣＹ  ＯＦＦＳＥＴ  ＥＳＴＩＭＡＴＩＯＮ  ＡＮＤ  ＣＯＲＲＥＣＴＩＯＮ  ＩＮ  ８０２．１１  ＷＡＣＥＦＯＲＭＳ」と題する米国仮出願第６１／３０３，１９７号の利益を主張するものである。
【技術分野】
【０００２】
本開示のある態様は、一般にワイヤレス通信に関し、より詳細には、ＩＥＥＥ８０２．１１波形における残留周波数オフセット推定および修正を実行することおよび利用することに関する。
【背景技術】
【０００３】
ワイヤレス通信システムが求められている帯域幅要件を増やす問題に取り組むために、異なるスキームは、高いデータスループットを達成しながらチャネルリソースを共有することにより単一のアクセスポイントと複数のユーザ端末が通信することを可能にするように発展されている。多入力多出力（ＭＩＭＯ）技術は、次世代通信システムのために一般の技術として最近現れた１つのこのようなアプローチを表わす。ＭＩＭＯ技術は、電気電子学会（ＩＥＥＥ）８０２．１１標準のようないくつかの新興ワイヤレス通信基準に採用された。ＩＥＥＥ８０２．１１は、短距離通信（例えば、何十メートルから数百メートル）のためにＩＥＥＥ８０２．１１委員会によって発展された１セットのワイヤレスローカルエリアネットワーク（ＷＬＡＮ）のインターフェース標準を表す。
【０００４】
ＭＩＭＯシステムは、データ送信のために複数（ＮT個）の送信アンテナおよび複数（ＮR個）の受信アンテナを用いる。ＮT個の送信アンテナとＮR個の受信アンテナによって形成されるＭＩＭＯチャネルは、ＮS個の独立チャネルへと分解されることができ、それらは、空間チャネルとも呼ばれる。なお、ＮS≦ｍｉｎ｛ＮT，ＮR｝である。ＮS個の独立チャネルの各々は、１次元に対応する。ＭＩＭＯシステムは、複数の送信及び受信アンテナによって作成される追加の次元が利用される場合には、改良された性能（例えば、より高いスループットおよび／またはより高い信頼性）を提供することができる。
【０００５】
単一のアクセスポイント（ＡＰ）および複数のユーザ局（ＳＴＡ）を備えたワイヤレスネットワークにおいて、同時送信は、アップリンクおよびダウンリンク方向の両方に異なる局に向かう多重チャネル時に生じうる。多くのチャレンジがそのようなシステムの中に存在する。
【発明の概要】
【０００６】
本開示のある態様は、ワイヤレス通信のための方法を提供する。方法は、一般に、第１のシンボルと第２のシンボルを備える、フレーム構造のロングトレーニングフィールドと、ＬＴＦに続く第３のシンボルとを受信することと、第１のシンボルと第２のシンボルとのうちの少なくとも１つに基づいて周波数オフセットの決定することと、第３のシンボルに少なくとも部分的に基づいて１つまたは複数の位相オフセットを決定することと、１つまたは複数の位相オフセットに基づいて周波数オフセットを調整することとを含む。
【０００７】
ある態様は、ワイヤレス通信のための装置を提供する。装置は、一般に、第１のシンボルと第２のシンボルを備える、フレーム構造のＬＴＦと、ＬＴＦに続く第３のシンボルとを受信するように構成された受信機と、少なくとも１つのプロセッサと、少なくとも１つのプロセッサに結合されるメモリと、を含み、少なくとも１つのプロセッサは、一般的に、第１のシンボルおよび第２のシンボルのうちの少なくとも１つに基づいて周波数オフセットを決定し、第３のシンボルに少なくとも部分的に基づいて１つまたは複数の位相オフセットを決定し、１つまたは複数の位相オフセットに基づいて周波数オフセットを調整するように構成される。
【０００８】
ある態様は、ワイヤレス通信のための装置を提供する。装置は、一般に、第１のシンボルおよび第２のシンボルを備える、フレーム構造のＬＴＦと、ＬＴＦに続く第３のシンボルとを受信するための手段と、第１のシンボルおよび第２のシンボルのうちの少なくとも１つに基づいて周波数オフセットを決定するための手段と、第３のシンボルに少なくとも部分的に基づいて１つまたは複数の位相オフセットを決定するための手段と、１つまたは複数の位相オフセットに基づいて周波数オフセットを調整するための手段とを備える。
【０００９】
ある態様は、ワイヤレス通信のためのコンピュータプログラム製品を提供する。コンピュータプログラム製品は、一般に、その上に記憶された命令を有するコンピュータ可読媒体を含み、命令は、１つまたは複数のプロセッサによって実行可能である。その命令は、一般に、第１のシンボルと第２のシンボルを備える、フレーム構造のＬＴＦと、ＬＴＦに続く第３のシンボルとを受信するための命令と、少なくとも第１のシンボルおよび第２のシンボルに基づいて周波数オフセットを決定するための命令と、第３のシンボルに少なくとも部分的について１つまたは複数の位相オフセットを決定するための命令と、１つまたは複数の位相オフセットに基づいて周波数オフセットを調整するための命令とを含む。
【図面の簡単な説明】
【００１０】
本開示の上述された特徴が詳細に理解されることができる方法となるように、上記で簡単に要約される、より具体的な説明は、態様を参照することによって、なされ、それらのうちのいくつかは、添付図面において図示されている。しかしながら、添付図面は、本開示のある典型的な態様のみを図示しており、したがって、その範囲を制限するものとみなされず、説明は他の等しく効果的な態様を認めることができる。
【図１】図１は、本開示のある態様に従うワイヤレス通信ネットワークの図を説明する。
【図２】図２は、本開示のある態様に従う例示のアクセスポイントおよびユーザ端末のブロック図を説明する。
【図３】図３は、本開示のある態様に従う例示のワイヤレスデバイスのブロック図を説明する。
【図４】図４は、本開示のある態様に従うプリアンブルの様々なフィールドとともに例示のフレーム構造を説明する。
【図５】図５は、本明細書に説明されたある態様に従う残留周波数オフセット推定および修正を実行するための例示の動作を説明する。
【図５Ａ】図５Ａは、図５の動作を実行することができる例示の手段を説明する。
【発明を実施するための形態】
【００１１】
本開示のさまざまな態様は以下で説明される。本明細書における教示は、様々な形態において具現化されうるということ、そして、いずれの具体的なストラクチャ、機能または、ここにおいて開示されている両方は、単なる代表であることは明らかであるべきである。本明細書における教示に基づいて、当業者は、本明細書において開示される態様はいずれの他の態様と独立してインプリメントされることができるということ、そして、これらの態様のうちの２以上の態様は、様々な方法で組み合わせられることができるということ、を理解すべきである。例えば、本明細書において説明される任意の数の態様を使用して、装置は、実装される、または、方法は、実施されうる。さらに、本明細書において説明される１つまたは複数の態様に加えては、あるいは、それ以外の他の構造、機能性、または構造を使用して、装置は、実装される、または方法は、実施されうる。更に、本態様は、本願請求項の少なくとも１つの構成要素を備えることができる。
【００１２】
用語「例示的な（exemplary）」は、「例（example）、インスタンス（instance）、又は例証（illustration）として機能していること」を意味するように、ここでは使用されている。「例示的（exemplary）」として本明細書に説明されるいずれの態様も、他の態様よりも好まれるまたは有利であると必ずしも解釈されない。さらに、本明細書に使用されるように、用語「レガシー局」は、一般に電気電子学会（ＩＥＥＥ）８０２．１１ｎ又はＩＥＥＥ８０２．１１標準の以前のバージョンあるいはその補正をサポートするワイヤレスネットワークノードとして参照される。
【００１３】
特定の態様は、本明細書に記述されるが、これらの態様の多くの変化および置換は、本開示の範囲の内にある。いくつかの利点および好ましい態様の利点および利益が言及されるが、開示の範囲は、特定の利点、用途または目的に限定的のようには意図されない。むしろ、本開示の態様は、異なるワイヤレス技術、システム構成、ネットワーク、および送信プロトコル、に広く適用可能であるように意図され、それらのうちのいくつかは、図面および好ましい態様の以下の説明における例示の方法によって説明される。詳細な説明および図面は、限定ではなく開示の単なる例示であり、本開示の範囲は、添付の請求項およびそれらの均等物によって定義される。
【００１４】
例示のワイヤレス通信システム  
本明細書に記述された技術は、直交多重スキームに基づいて通信システムを含む、様々な広帯域ワイヤレス通信システムのために使用されうる。そのような通信システムの例は空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどを含む。ＳＤＭＡシステムは、複数のユーザ端末に属するデータを同時に送信するために十分に異なる方向を利用しうる。ＴＤＭＡシステムは、送信信号を異なるタイムスロットに分割することによって、複数のユーザ端末が同じ周波数チャネルを共有することを可能にし得る。ここで、各タイムスロットは、異なるユーザ端末に割り当てられる。ＯＦＤＭＡシステムは、システム全体の帯域幅を複数の直交サブキャリアに区分する変調技術である、直交周波数分割多重化（ＯＦＤＭ）を利用する。これらのサブキャリアはまた、トーン、ビン、などと呼ばれることができる。ＯＦＤＭを用いて、各サブキャリアは、データとともに独立的に変調されることができる。ＳＣ−ＦＤＭＡシステムは、システム帯域幅にわたって分配されるサブキャリア上で送信するインターリーブされるＦＤＭＡ（ｉｎｔｅｒｌｅａｖｅｄ  ＦＤＭＡ）（ＩＦＤＭＡ）、隣接するサブキャリアのブロック上で送信するローカライズＦＤＭＡ（ｌｏｃａｌｉｚｅｄ  ＦＤＭＡ）（ＬＦＤＭＡ）、または、隣接するサブキャリアの複数ブロック上で送信する強化ＦＤＭＡ（ｅｎｈａｎｃｅｄ  ＦＤＭＡ）（ＥＦＤＭＡ）、を利用することができる。一般に、変調シンボルは、ＯＦＤＭを用いて周波数ドメインで、およびＳＣ−ＦＤＭＡを用いて時間ドメインで、送られる。
【００１５】
本明細書における教示は、様々な優先またはワイヤレス装置（例、ノード）に組み込まれることができる（例、装置内で実装される、または、装置によって実行される）。いくつかの態様において、教示に従う本明細書に実装されたワイヤレスノードは、アクセスポイントまたはアクセス端末を備えうる。
【００１６】
アクセスポイント（「ＡＰ」）は、ノードＢ、無線ネットワークコントローラ（「ＲＮＣ」）、ｅＮｏｄｅＢ、基地局制御器（「ＢＳＣ」）、基地局（「ＢＴＳ」）、基地局（「ＢＳ」）、トランシーバ機能（「ＴＦ」）、無線ルータ、トランシーバ、基本サービスセット（「ＢＳＳ」）、拡張サービスセット（「ＥＳＳ」）、無線基地局（「ＲＢＳ」）、または他の専門用語、を備える、として実装される、あるいはとして既知でありうる。
【００１７】
アクセス端末（「ＡＴ」）は、加入者局、加入者ユニット、移動局、遠隔局、遠隔端末、ユーザ端末、ユーザエージェント、ユーザデバイス、ユーザ機器（ＵＥ）、ユーザ局、または他のある専門用語、を備える、として実装される、あるいはとして既知でありうる。いくつかの実装において、アクセス端末は、携帯電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、局（「ＳＴＡ」）またはワイヤレスモデムに接続された他のある適切な処理デバイスを備えうる。従って、本明細書に教示された１つまたは複数の態様は、電話（例えば携帯電話またはスマートフォン）、コンピュータ（例えばラップトップ）、ポータブル通信装置、携帯機器（例えば個人用携帯情報端末）、エンターテイメントデバイス（例えば音楽デバイスあるいはビデオデバイス、または衛星ラジオ）、全地球測位システムデバイス、またはワイヤレスあるいは優先媒体を介して通信するように構成される任意の他の適切なデバイスに組み込まれうる。いくつかの態様において、ノードは、ワイヤレスノードである。そのようなワイヤレスノードは、例えば、優先の通信リンクまたはワイヤレス通信リンクを介して、ネットワークに対して、またはネットワークについて（例えば、インターネットまたはセルラネットワークのような広域ネットワーク）を提供することができる。
【００１８】
図１は、アクセスポイントおよびユーザ端末を備える多入力多出力（ＭＩＭＯ）システム１００を例示する。簡単化のために、１つのアクセスポイント１１０のみが図１に示される。アクセスポイント（ＡＰ）は、一般にユーザ端末と通信し、基地局または他のある専門用語で呼ばれる固定局である。ユーザ端末は、固定式あるいはモバイルであり、移動局、局（ＳＴＡ）、クライアント、ワイヤレスデバイスまたは他のある専門用語で呼ばれうる。ユーザ端末は、携帯電話、携帯情報端末（ＰＤＡ）、ハンドヘルドデバイス、ワイヤレスモデム、ラップトップコンピュータ、パーソナルコンピュータなどのようなワイヤレスデバイスでありうる。
【００１９】
アクセスポイント１１０は、ダウンリンクおよびアップリンク上の任意の所与の瞬間で１つまたは複数の１つまたは複数のユーザ端末１２０と通信しうる。ダウンリンク（つまりフォワードリンク）は、アクセスポイントからユーザ端末への通信リンクであり、アップリンク（つまりリバースリンク）は、ユーザ端末からアクセスポイントへの通信リンクである。ユーザ端末は、さらに別のユーザ端末とピア・ツー・ピアを通信しうる。システム制御器１３０は、アクセスポイントに接続され、調整および制御を提供する。
【００２０】
システム１００は、ダウンリンクおよびアップリンク上のデータ送信のために複数の送信および複数の受信アンテナを用いる。アクセスポイント１１０は、Ｎap個のアンテナが備え付けられ、ダウンリンク送信のための多入力（ＭＩ）アップリンク送信のための多出力（ＭＯ）を表わす。選択されたユーザ端末１２０のＮu個のセットは、ダウンリンク送信のための多出力およびアップリンク送信のための多入力を集合的に表わす。ある場合において、Ｎu個のユーザ端末のためのデータシンボルストリームがある手段によってコード、周波数または時間に多重化されない場合、Ｎap≧Ｎu≧１を有することは望ましくなりうる。データシンボルストリームがＣＤＭＡで異なるコードチャネルを使用して多重化される、ＯＦＤＭでサブバンドの互いにバラバラなセットを使用して多重化される、などの場合、Ｎuは、Ｎapより大きい。選択されたユーザ端末各々は、アクセスポイントにユーザ特有のデータを送信するおよび／またはアクセスポイントからユーザ特有のデータを受信する。一般に、選択されたユーザ端末各々は、１つのまたは複数のアンテナ（つまりＮut≧１）を備え付けられうる。Ｎu個の選択された端末は、同じあるいは異なる数のアンテナを有することができる。
【００２１】
ＭＩＭＯシステム１００は、時分割複信（ＴＤＤ）システムまたは周波数分割複信（ＦＤＤ）システムでありうる。ＴＤＤシステムに対して、ダウンリンクおよびアップリンクは同じ周波数帯域を共有する。ＦＤＤシステムに対して、ダウンリンクおよびアップリンクは異なる周波数帯域を使用する。ＭＩＭＯシステム１００は、さらに送信のための単一のキャリアまたは複数のキャリアを利用しうる。各ユーザ端末は、（例えばコストを抑えるために）単一のアンテナが備え付けられる、または（例えば追加のコストをサポートすることができる場合）複数のアンテナを備え付けられうる。
【００２２】
図２は、ＭＩＭＯシステム１００における、アクセスポイント１１０および２つのユーザ端末１２０ｍおよび１２０ｘのブロック図を示す。アクセスポイント１１０は２２４ａｐを通じてＮap個のアンテナ２２４ａを備え付けられる。ユーザ端末１２０ｍはＮut,m個のアンテナ２５２ｍａから２５２ｘｕを備え付けられ、ユーザ端末１２０ｘは、Ｎut,x個のアンテナ２５２ｘａ乃至２５２ｘｕを備え付けられる。アクセスポイント１１０は、ダウンリンクのための送信エンティティおよびアップリンクのための受信エンティティである。各ユーザ端末１２０は、アップリンクのための送信エンティティおよびダウンリンクのための受信エンティティである。本明細書に使用されるように、「送信エンティティ」は、周波数チャネルを介してデータを送信することができる、独立して動作する装置またはデバイスであり、「受信エンティティ」は、周波数チャネルを介してデータを受信することができる、独立して動作する装置またはデバイスである。以下の説明において、下付記号「ｄｎ」は、ダウンリンクを表し、下付記号「ｕｐ」は、アップリンクを表し、Ｎup個のユーザ端末は、アップリンク上の同時送信のために選択され、Ｎdn個のユーザ端末は、ダウンリンク上の同時送信のために選ばれ、Ｎupは、Ｎdnに等しいまたは等しくなく、ＮupおよびＮdnは、静的な値であるか、各スケジューリング間隔で変化することができる。ビームステアリングまたは他のある空間処理技法は、アクセスポイントおよびユーザ端末で使用されうる。
【００２３】
アップリンクについて、アップリンク送信のために選択された各ユーザ端末１２０では、ＴＸデータプロセッサ２８８は、データソース２８６からトラフィックデータを受信し、制御器２８０から制御データを受信する。ＴＸデータプロセッサ２８８は、ユーザ端末のために選択されたレートに関連するコーディングスキームおよび変調スキームに基づいてユーザ端末のためのトラフィックデータ｛ｄup,m｝を処理し（例えば、符号化し、インターリーブし、変調する）、データシンボルストリーム｛ｓup,m｝を提供する。ＴＸ空間プロセッサ２９０は、データシンボルストリーム｛ｓup,m｝上で空間処理を実行し、Ｎut,m個のアンテナのためにＮut,m個の送信シンボルを提供する。各送信機ユニット（ＴＭＴＲ）２５４は、アップリンク信号を生成するために、それぞれの送信シンボルストリームを受信し処理する（例えば、アナログに変換し、増幅し、フィルタに掛け、周波数アップコンバートする）。Ｎut,m個の送信機ユニット２５４は、Ｎut,m個のアンテナ２５２からアクセスポイント１１０への送信のためにＮut,m個のアップリンク信号を提供する。
【００２４】
Ｎup個のユーザ端末は、アップリンク上の同時送信のためにスケジュールされうる。これらのユーザ端末の各々は、そのデータシンボルストリーム上で空間処理を実行し、アクセスポイントへのアップリンク上の送信シンボルストリームのそのセットを送信する。
【００２５】
アクセスポイント１１０で、Ｎap個のアンテナ２２４ａから２２４ａｐは、アップリンク上で送信するすべてのＮup個のユーザ端末からのアップリンク信号を受信する。各アンテナ２２４は、それぞれの受信ユニット（ＲＣＶＲ）２２２に受信信号を提供する。各受信ユニット２２２は、送信機ユニット２５４によって実行されたのと相補的な処理を実行し、受信シンボルストリームを提供する。ＲＸ空間プロセッサ２４０は、Ｎap個の受信ユニット２２２からのＮap個の受信シンボルストリーム上で受信機空間処理を実行し、Ｎup個の復元されたアップリンクデータシンボルストリームを提供する。受信機空間処理は、チャネル相関行列反転（ＣＣＭＩ：channel correlation matrix inversion）、最小平均二乗誤差（ＭＭＳＥ）、逐次干渉キャンセラ（ＳＩＣ：successive interference cancellation）または他のある技法に従って実行される。復元されたアップリンクデータシンボルストリーム｛ｓup,m｝各々は、それぞれのユーザ端末によって送信されたデータシンボルストリーム｛ｓup,m｝の推定値である。ＲＸデータプロセッサ２４２は、復号化データを取得するために、そのストリームに使用されたレートに従って復元されたアップリンクデータシンボルストリーム｛ｓup，m｝各々を処理する（例えば、復調し、デインターリブし、復号化する）。各ユーザ端末のための復号化データは、記憶のためのデータシンク２４４および／またはさらなる処理のための制御器２３０が提供される。
【００２６】
ダウンリンクについて、アクセスポイント１１０では、ＴＸデータプロセッサ２１０は、ダウンリンク送信のためにスケジュールされたＮdn個のユーザ端末のためのデータソース２０８からのトラフィックデータ、制御器からの制御データ、およびことによるとスケジューラ２３４からの他のデータを受信する。様々なタイプのデータは、異なるトランスポートチャネル上で送信されうる。ＴＸデータプロセッサは、ユーザ端末のために選択されたレートに基づいて各ユーザ端末のためのトラフィックデータを処理する（例えば、符号化し、インターリーブし、変調する）。ＴＸデータプロセッサ２１０は、Ｎdn個のユーザ端末のためにＮdn個のダウンリンクデータシンボルストリームを提供する。ＴＸ空間プロセッサ２２０は、Ｎdn個のダウンリンクデータシンボルストリーム上で空間処理を実行し、Ｎap個のアンテナのためのＮap個の送信シンボルを送信する。各送信機ユニット（ＴＭＴＲ）２２２は、ダウンリンク信号を生成するためにそれぞれの送信シンボルストリームを受信し処理する。Ｎap個の送信機ユニット２２２は、Ｎap個のアンテナ２２４からユーザ端末への送信のためにＮap個のダウンリンク信号を提供する。
【００２７】
各ユーザ端末１２０では、Ｎut,m個のアンテナ２５２は、アクセスポイント１１０からＮap個のダウンリンク信号を受信する。各受信機ユニット（ＲＣＶＲ）２５４は、関連するアンテナ２５２からの受信信号を処理し、受信シンボルストリームを提供する。ＲＸ空間プロセッサ２６０は、Ｎut,m受信機ユニット２５４からのＮut,m個の受信シンボルストリーム上で受信機空間処理を実行し、ユーザ端末のための復元されたダウンリンクデータシンボルストリーム｛ｓdn,m｝を提供する。受信機空間処理は、ＣＣＭＩ、ＭＭＳＥまたは他のある技法に従って実行される。チャネル推定器２７８は、ＲＣＶＲ２５４からの受信シンボルストリームに基づいてワイヤレスチャネルを推定し、ＲＸ空間プロセッサ２６０は、空間処理を実行するためにチャネル推定値を使用しうる。ＲＸデータプロセッサ２７０は、ユーザ端末のための復号化データを取得するために、復元されたダウンリンクデータシンボルストリームを処理する（例えば、復調し、デインターリブし、復号化する）。
【００２８】
図３は、システム１００内で用いられるワイヤレスデバイス３０２に利用されうる様々なコンポーネントを説明する。ワイヤレスデバイス３０２は、本明細書で説明されるさまざまな方法を実施するために構成され得るデバイスの例である。ワイヤレスデバイス３０２は、アクセスポイント１１０またはユーザ端末１２０でありうる。
【００２９】
ワイヤレスデバイス３０２は、ワイヤレスデバイス３０２の動作を制御するプロセッサ３０４を含みうる。このプロセッサ３０４は、中央制御装置（ＣＰＵ）とも称されうる。読取専用メモリ（ＲＯＭ）とランダムアクセスメモリ（ＲＡＭ）との両方を含むことができるメモリ３０６は、プロセッサ３０４に命令およびデータを提供する。メモリ３０６の一部は、不揮発性ランダムアクセスメモリ（ＮＶＲＡＭ）を含むこともできる。プロセッサ３０４は、通常、メモリ３０６に格納されたプログラム命令に基づいて、論理演算および算術演算を実行する。本明細書で説明される方法を実施するために、メモリ３０６内の命令を実行可能とすることができる。
【００３０】
ワイヤレスデバイス３０２は、さらにワイヤレスデバイス３０２と遠隔地との間のデータの送信および受信を許容するために送信機３１０および受信機３１２を含んでもよいハウジング３０８を含みうる。送信機３１０および受信機３１２は、トランシーバ３１４に組み込みこまれうる。複数の送信アンテナ３１６は、ハウジング３０８に取り付けられ、トランシーバ３１４と電気的に接続されうる。無線デバイス３０２は、また（図示しない）複数の送信機、複数の受信機、および複数のトランシーバを含みうる。
【００３１】
ワイヤレスデバイス３０２は、さらにトランシーバ３１４によって受信された信号のレベルを検出し定量化する目的で使用される信号検出器３１８を含みうる。信号検出器３１８は、合計エネルギー、シンボル毎サブキャリア毎のエネルギー、電力スペクトル密度、およびその他の信号のような信号を検出しうる。ワイヤレスデバイス３０２は、さらに信号を処理する際に使用されるデジタル信号プロセッサ（ＤＳＰ）３２０を含むことができる。
【００３２】
ワイヤレスデバイス３０２の様々なコンポーネントは、バスシステム３２２によって連結される。バスシステム３２２は、データバスに加えて電力バス、制御信号バス、および状態信号バスを含みうる。
【００３３】
当業者は、本明細書に説明された技法がＳＤＭＡ、ＯＦＤＭＡ、ＣＤＭＡ、ＳＤＭＡおよびそれらの組み合わせのような任意のタイプの多元接続スキーム（つまりマルチ−ユーザプロトコル）を利用するシステムに一般に適用されうることを認識することになる。
【００３４】
残留周波数オフセット推定および修正を実行する例示の方法  
図４は、プリアンブル４００の様々なフィールドを備える例示のフレーム構造を説明する。プリアンブル４００は、ＩＥＥＥ８０２．１１ａｃに従うあるいはＩＥＥＥ８０２．１１標準のより最新の補正に従いうる。プリアンブル４００は、例えば、図１で説明されたワイヤレスシステム１００のアクセスポイント（ＡＰ）１１０からユーザ端末１２０へ送信されうる。
【００３５】
プリアンブル４００は、オムニレガシー部分４０２（つまりビーム形成されていない部分）およびプリコード化８０２．１１ａｃ  ＶＨＴ（超高速スループット：Very High Throughput）部分４０４を備えうる。レガシー部分４０２は、レガシーショートトレーニングフィールド（Ｌ−ＳＴＦ）４０６と、レガシーロングトレーニングフィールド（Ｌ−ＬＴＦ）４０８と、レガシー信号（Ｌ−ＳＩＧ）４１０と、ＶＨＴ信号Ａ（ＶＨＴ−ＳＩＧＡ）フィールドのための２つのＯＦＤＭシンボル４１２、４１４とを備えるＬ−ＳＴＦ４０６は、各々８００ｎｓの１０個の同一シンボルシンボルを備え、粗いキャリア周波数オフセット（ＣＦＯ）推定のために使用されうる。Ｌ−ＬＴＦ４０８は、２つの同一シンボルを備え、きめ細かいＣＦＯ推定およびサンプリング周波数オフセット推定のために使用されうる。ＶＨＴ−ＳＩＧＡフィールド４１２および４１４は、オムニ指向的に送信され、ＳＴＡの組み合わせ（セット）に空間ストリームの数の割り当てを示しうる。
【００３６】
プリコード化８０２．１１ａｃ  ＶＨＴ部分４０４は、超高速スループットショートトレーニングフィールド（ＶＨＴ−ＳＴＦ）４１６、超高速スループットロングトレーニングフィールド１（ＶＨＴ−ＬＴＦ１）４１８、超高速スループットロングトレーニングフィールド（ＶＨＴ−ＬＴＦｓ）４２０、およびデータ部分４２４を備えうる。ＶＨＴ−ＳＩＧＢフィールド４２２は、１つのＯＦＤＭシンボルを備え、プリコード化され／ビーム形成されて送信される。プリコード化ＶＨＴ−ＳＩＧＢフィールドは、ＭＣＳおよび１ユーザあたりの長さを包含しうる。
【００３７】
ＶＨＴ−ＬＴＦシンボルの数は、すべてのクライアントのための空間ストリームの総数と等しくできる。８ｘ８送信に対して、これは、８つのＶＨＴ−ＬＴＦシンボルに帰着しうる。ロバストなＭＵ−ＭＩＭＯ受信は、すべてをサポートしたＳＴＡへＶＨＴ−ＬＴＦ４１８、４２０すべてを送信するＡＰを包含しうる。ＶＨＴ−ＬＴＦ４１８、４２０は、各ＳＴＡがすべてのＡＰアンテナからＳＴＡのアンテナにＭＩＭＯチャネルを推定することを可能にする。ＳＴＡは、他のＳＴＡに対応するＭＵ−ＭＩＭＯストリームからの実効干渉をヌルにすることを実行するために推定されたチャネルを利用しうる。ロバストな干渉キャンセレーションを実行するために、各ＳＴＡは、どの空間ストリームがそのＳＴＡに属しどの空間ストリームが他のユーザに属するかを知ることが予測されうる。
【００３８】
ユニキャスト送信に対して、第１のＬ−ＬＴＦシンボル（Ｌ−ＬＴＦ１）を使用する受信機によって実行された初期周波数推定値は、１ｋＨｚのオーダーで残留誤差を有する。これは、８つの空間ストリーム送信のために必要とされる８つのＬＴＦに対して３０ｄＢ未満のチャネル推定信号対雑音比（ＳＮＲ）フロアになる。これは、残留周波数エラーがＬＴＦにわたって位相回転を引き起こすからである。それは、受信ＬＴＦの間の直交性を破壊し、チャネル推定値の品質を落とす。ここで要求されるＬＴＦの数が大きいほど、チャネル推定値エラーを大きくすることに留意すべきである。チャネル推定値ＳＮＲが４つのＬＴＦに対して３０ｄＢより大きかったので、残留周波数エラーは、４×４の８０２．１１ｎにおいて問題と見なされなかったが、ＩＥＥＥ８０２．１１ａｃおよび８以上の空間ストリーム送信をサポートする８０２．１１ｎ標準への最新の補正に対しては問題である。
【００３９】
従って、ＬＴＦシンボルにわたって残留周波数エラーおよび／または位相エラーを推定する技術および装置が必要とされている。
【００４０】
更に、多重アクセス送信（例えばＵＬ−ＳＤＭＡ）において、各クライアントは潜在的に異なる残留エラーを有する。アップリンクＳＤＭＡ（ＵＬ−ＳＤＭＡ）送信における各クライアントがＤＬ周波数オフセット推定値で送信された波形を修正したとしても、各クライアントから約１ｋＨｚの残留周波数エラーの正味の影響は、ＵＬ−ＳＤＭＡ送信においてアクセスポイント（ＡＰ）チャネル推定を行うことをほぼ不可能にする。これは、各クライアントからの独立した残留周波数エラーが受信ＬＴＦの間の直交性を破壊する異なる位相回転の寄与を引き起こすからである。これはチャネル推定値ＳＮＲを＜＜３０ｄＢに下げる。
【００４１】
従って、ＤＬにおける残留周波数エラーを推定し、ＵＬ送信を修正する技術および装置がさらに必要とされる。
【００４２】
ある態様に従って、（ＣＲＣが通過したと仮定して）ＶＨＴ−ＳＩＧ−Ａシンボルおよび／または（ＣＲＣが通過したと仮定して）復号化信号（Ｌ−ＳＩＧ）シンボルは、Ｌ−ＬＴＦシンボルに加えてパイロットとして使用されうる。したがって、２００Ｈｚより小さい残留周波数を測定するために使用することができる、利用可能な合計５つのＯＦＤＭシンボルがありうる。これは、−４１ｄＢｃ  ＩＰＮを仮定して、３３ｄＢを超えるチャネル推定値ＳＮＲに変換しうる。
【００４３】
上記の５つのＯＦＤＭシンボルを使用して用いることができるいくつかのサブ方法がある。第１のサブ方法において、Ｌ−ＬＴＦ１および第２のＶＨＴ−ＳＩＧ−Ａシンボルは、これらの２つのシンボル間の位相回転を決定するために使用されうる。Ｌ−ＬＴＦ１と第２のＶＨＴ−ＳＩＧＡ  ＯＦＤＭシンボルとの間の４つのＯＦＤＭシンボルの存在（Ｔ＝１６μｓ）は、周波数エラーを非常に小さな粒度に測定することを許容する。例えば、量子化またはルックアップテーブルのサイズのようなモデム実装制約条件を仮定した場合、π／５１２の位相粒度を記録することができる。これは、Ｔ＝１６μｓ（４＊４μｓ）を使用する最小周波数エラー＝１／（２＊Ｔ＊２５６）＝１２５Ｈｚを測定する性能をもたらす。これはＬ−ＬＴＦ１およびＬ−ＬＴＦ２を使用することと対照的である。ここでＴ＝４μｓである。これは、６００Ｈｚの最小周波数エラーを測定することを単に可能にする。
【００４４】
第２のサブ方法において、５つすべてのＯＦＤＭシンボルは、残留周波数エラーの最大尤度（ＭＬ）検出を取得するために使用されうる。第１に、ｋ番目のＯＦＤＭシンボルのｎ番目のサンプルであるｙk（ｎ）を定義する。第２に、５つのＯＦＤＭシンボルの間の、位相回転θp=1,2,3,4を以下のように計算する：  
【数１】
2013520083.tif 000003
【００４５】
第３に、  
【数２】
2013520083.tif 000004
【００４６】
を定義する。ここで、Ｔ＝４μｓでありｆ＝残留周波数エラーである。
【００４７】
第４に、  
Θ＝［θ1θ2θ3θ4］                    式（６）  
を定義する。
【００４８】
最後に、  
【数３】
2013520083.tif 000005
【００４９】
を定義する。  
（最小のアーギュメントである）ａｒｇｍｉｎは、所与の式の値がその最小値に到達する所与のアーギュメントの位置のセットであり、  
【数４】
2013520083.tif 000006
【００５０】
は、ベクトルＹ（ｆ）−Θのノルムである。このように、位相は回転し、従って残留周波数オフセットは、上記の式１−４におけるすべてのサブキャリア（つまりＮ個のサンプル）の平均コンステレーション位相エラーを使用して決定されうる。
【００５１】
ＤＬ−ＳＤＭＡおよびＭＩＭＯ送信に対して、初期および残留ＤＬ周波数推定値を推定した後、修正は、受信サンプルに周波数オフセットを適用することによって行われうる。次に、サンプリングオフセットは、受信機サブキャリアにわたる位相傾斜を適用することと、最大位相傾斜がπ（１８０°）を越えた場合にガードタイムサンプルをスキップするあるいは加えることとによって修正されうる。上記を遂行するハードウェアは、８０２．１１ｎ受信機においてキャリアおよびサンプリングオフセットを修正するために用いられることと全く同じであるあるいは類似しうる。
【００５２】
ＵＬ−ＳＤＭＡ送信に対して、各クライアントは、ＵＬ−ＳＤＭＡ送信波形に対する修正のために、残留周波数推定値を加えた組み合わせされたＤＬ初期周波数推定値を使用しうる。キャリア周波数オフセット（ＣＦＯ）のための修正は、送信されたサンプルに逆数オフセット（inverse offset)を適用することによって行われうる。次に、サンプリングオフセットは、送信サブキャリアにわたって位相傾斜を適用することと、最大位相傾斜がπ（１８０°）を越えた場合にガードタイムサンプルをスキップあるいは加えることとによって修正されうる。上記を遂行するハードウェアは、８０２．１１ｎ受信機においてキャリアおよびサンプリングオフセットを修正するために用いられることと全く同じであるあるいは類似しうる。
【００５３】
図５は、本明細書に説明されたある態様に従う残留周波数オフセット推定および修正を実行するための、例えばユーザ端末１２０によって、実行されうる例示の動作５００を説明する。５０２で、ユーザ端末は、フレーム構造のロングトレーニングフィールド（ＬＴＦ）（例えば、プリアンブル４００のＬ−ＬＴＦ４０８）を受信しうる。ここで、ＬＴＦは、第１のシンボルと第２のシンボル、およびＬＴＦに続く少なくとも第３のシンボルを備える。ある態様について、第３のシンボルは、第２のＶＨＴ−ＳＩＧＡシンボル４１４を備えうる。このように、第１のシンボルのスタートと第３のシンボルのスタートとの間に少なくとも１６μｓあり、それは、よりよい位相オフセット粒度を導くので、より正確な残留周波数オフセット推定値につながる。
【００５４】
５０４で、ユーザ端末は、第１のシンボルおよび第２のシンボルのうちの少なくとも１つに基づいて周波数オフセット（例えば初期周波数オフセット）を決定しうる。５０６で、ユーザ端末は、第３のシンボルに少なくとも部分的に基づいて１つまたは複数の位相オフセットを決定しうる。５０８で、ユーザ端末は、１つまたは複数の位相オフセットに基づいて周波数オフセットを調整しうる。
【００５５】
ある態様について、ユーザ端末は、５１０で受信信号を処理するときに、調整された周波数オフセットを使用しうる。５１２で、ユーザ端末は、オプションとして、ある態様のために調整された周波数オフセットを使用して信号を送信しうる。
【００５６】
本開示のある態様は、残留周波数エラーの存在があろうとも、ＳＮＲ＞３３ｄＢで良いチャネル推定を実行することを可能にする。さらに、ある態様は、クライアント側において残留周波数エラーが存在していようとも、ＵＬ−ＳＤＭＡをサポートすることができる。
【００５７】
以上で説明された方法の各種動作は、対応する機能を実行することができる任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズプラスファンクション（means-plus-function）コンポーネントを有しうる。例えば、図５で示された動作５００は、図５Ａで説明された手段５００Ａに対応する。
【００５８】
例示の手段として、送信するための手段は、図２で説明されたユーザ端末１２０の送信機ユニット２５４のような、トランシーバまたは送信機を備えうる。受信するための手段は、図２に表わされたユーザ端末１２０の受信機ユニット２５４のような、トランシーバまたは受信機を備えうる。決定するための手段、処理するための手段、調整するための手段、または使用するための手段は、図２で説明されたユーザ端末のＲＸデータプロセッサ２７０、チャネル推定器２７８、および／または制御器２８０のような、１つまたは複数のプロセッサを含む処理システムを備える。
【００５９】
本明細書に使用されたように、用語「決定」は種々様々な動作を包含する。例えば、「決定すること」は、計算、コンピューティング、処理、導出、調査、ルックアップ（例えば、テーブル、データベース、または他のデータ構造内のルックアップ）、確認等を含むことができる。また、「決定すること」は、受信（例えば、情報の受信）、アクセス（例えば、メモリ内のデータへのアクセス）等を含むことができる。また、「決定すること」は、解決、選択、選定、確立等を含むことができる。
【００６０】
本明細書に使用されるように、項目のリスト「のうちの少なくとも１つ」と参照するフレーズは、単一メンバーを含むそれらの項目の任意の組み合わせを参照する。例示として、「ａ，ｂ，またはｃのうちの少なくとも１つ」は、ａ，ｂ，ｃ，ａ−ｂ，ａ−ｃ，ｂ−ｃ，およびａ−ｂ−ｃをカバーするように意図される。
【００６１】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールドプログラマブルゲートアレイ（ＦＰＧＡ）もしくはその他のプログラマブル論理デバイス（ＰＬＤ）、ディスクリートゲートもしくはトランジスタロジック、ディスクリートハードウェアコンポーネント、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、またはステートマシーンとすることができる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成であるコンピューティングデバイスの組み合わせとして実現されうる。
【００６２】
本開示に関連して記載される方法またはアルゴリズムのステップは、ハードウェアで直接的に、プロセッサによって実行されるソフトウェアモジュールで、あるいは、これらの組み合わせで具体化されうる。ソフトウェアモジュールは、当該技術分野において周知のすべての形式の記憶媒体に常駐することができる。使用できる記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは、単一の命令または複数の命令を備えることができ、複数の異なるコードセグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００６３】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００６４】
ここにおいて記載された機能は、ハードウェア、ソフトウェア、ファームウェアあるいはそれらのいずれかの組み合わせにおいて実装されることができる。もしハードウェアで実装されれば、例えば、ハードウェア構成は、ワイヤレスノード内の処理システムを備えうる。処理システムは、バスアーキテクチャで実装されうる。バスは、処理システムの特定アプリケーションと全体的な設計制約に依存している、任意の数の相互接続しているバスとブリッジを含みうる。バスは、プロセッサ、機械可読媒体、およびバスインターフェースを含む様々な回路と結合しうる。バスインターフェースは、バスを介して処理システムと、他の物との間に、ネットワークアダプタを接続するためにしようされうる。ネットワークアダプタは、ＰＨＹレイヤの信号処理機能を実装するために使用されうる。ユーザ端末１２０（図１を参照）の場合には、ユーザインターフェース（例えばキーパッド、ディスプレイ、マウス、ジョイスティックなど）が、さらにバスに接続されうる。バスは、タイミングソース、周辺機器、電圧調整器、パワー管理回路、および同様なもののような様々な他の回路もリンクさせ、そしてそれらは、当技術分野ではよく知られているので、さらには説明しない。
【００６５】
プロセッサは、コンピュータ可読媒体上で格納されるソフトウェアの実行を含む、バス及び一般的な処理を管理することに関与している。プロセッサは、１つまたは複数の汎用プロセッサおよび／または専用プロセッサで実装されうる。例示は、ソフトウェアを実行することができるマイクロプロセッサ、マイクロコントローラ、ＤＳＰプロセッサ、および他の回路を含む。ソフトウェアは、ソフトウェア、ファームウェア、ミドルウェア、マイクロコード、ハードウェア記述言語、あるいは他の場合であろうと、命令、データ、またはそれらの任意の組み合わせを広く意味するよう理解されるだろう。機械可読媒体は、例として、ＲＡＭ（ランダムアクセスメモリ）、フラッシュメモリ、ＲＯＭ（リードオンリーメモリ）、ＰＲＯＭ（プログラマブルリードオンリーメモリ）、ＥＰＲＯＭ（消去可能プログラマブルリードオンリーメモリ）、ＥＥＰＲＯＭ（電気的消去可能リードオンリ―メモリ）、レジスタ、磁気ディスク、光ディスク、ハードドライブ、または任意の他の適切な記憶媒体、あるいはそれらの組み合わせを含みうる。機械可読媒体は、コンピュータプログラム製品において具現化されうる。コンピュータプログラム製品は、パッケージ材料を備えうる。
【００６６】
ハードウェアの実装において、機械可読媒体は、プロセッサから分離された処理システムの一部でありうる。しかしながら、当業者が容易に認識するように、機械可読媒体、またはそれらの任意の部分は、処理システムの外部にありうる。例示のために、機械可読媒体は、伝送線、データによって変調されたキャリア波、および／またはワイヤレスノードから分離したコンピュータ製品を含みうる。そしてそれらすべては、バスインターフェースを通じてプロセッサにアクセスされうる。代替または追加として、機械可読媒体、またはそれらの任意の一部は、プロセッサへ統合されうる。たとえば、この場合は、キャッシュおよび／または汎用レジスタファイルとともに統合されうる。
【００６７】
処理システムは、プロセッサ機能を提供する１つまたは複数のマイクロプロセッサ、機械可読媒体の少なくとも一部を提供する外部メモリとともに汎用処理システムとして構成され、そのすべては、外部バスアーキテクチャを通じてその他のサポーティング回路とともにリンクされる。代替として、処理システムは、プロセッサ、バスインターフェース、アクセス端末の場合のユーザインターフェース、サポーティング回路、およびシングルチップに統合された機械可読媒体の少なくとも一部とともにＡＳＩＣ（特定用途向け集積回路）とともに実装される、または１つまたは複数のＦＰＧＡｓ（フィールドプログラマブルゲートアレイ）ＰＤＬｓ（プログラマブル論理デバイス）制御器、ステートマシーン、ゲート論理、個別のハードウェアコンポーネント、または任意の他の適切な回路、あるいは本開示を通じて説明された様々な機能を実行することができる回路の任意の組み合わせとともに実装されうる。当業者は、特定のアプリケーションと全体システムに課された全体的な設計制約に依存して、処理システムのための機能をどのようにベストに実装するかを理解する。
【００６８】
機械可読媒体は、多くのソフトウェアモジュールを備えうる。ソフトウェアモジュールは、プロセッサによって実行された場合、処理システムに様々な機能を実行させる命令を含む。ソフトウェアモジュールは、送信モジュールおよび受信モジュールを含みうる。各ソフトウェアモジュールは、単一の記憶デバイスに常駐するまたは複数の記憶デバイスにわたって分配されうる。例示として、ソフトウェアモジュールは、トリガイベントを引き起こす場合にハードドライブからＲＡＭにロードされうる。ソフトウェアモジュールの実行の間に、プロセッサは、アクセス速度を増加させるためにキャッシュに命令のうちのいくつかをロードしうる。その後、１つまたは複数のキャッシュラインは、プロセッサによって実行するための汎用レジスタファイルにロードされうる。以下のソフトウェアモジュールの機能性を参照し、そのソフトウェアモジュールからの命令を実行する場合、そのような機能性がプロセッサによって実装されることが理解されることになる。
【００６９】
ソフトウェアで実装される場合には、機能性は、コンピュータ可読媒体上で１つまたは複数の命令あるいはコードとして、記憶されてもよく、あるいは、送信されることができる。コンピュータ可読媒体は、１つの場所から別の場所へのコンピュータプログラムの転送を容易にするいずれの媒体も含んでいる、コンピュータ記憶媒体（computer storage media）と通信媒体（communication media）の両方を含む。記憶媒体は、コンピュータによってアクセスされることができる、いずれの利用可能な媒体であってもよい。例として、また限定されないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形態において望まれるプログラムコードを保存あるいは搬送するために使用されることができる、また、コンピュータによってアクセスされることができる、任意の他の媒体も備えることができる。また、いずれの接続もコンピュータ可読媒体と適切に名付けられる。例えば、ソフトウェアがウェブサイト、サーバ、あるいは、同軸ケーブル、光ファイバーケーブル、ツイストペア、デジタル加入者ライン（ＤＳＬ）、あるいは赤外線（ＩＲ）、無線、およびマイクロ波のような無線技術を使用している他の遠隔ソース、から送信される場合には、そのときには、同軸ケーブル、光ファイバーケーブル、ツイストペア、ＤＳＬ、あるいは赤外線、無線、およびマイクロ波のような無線技術は、媒体の定義に含まれている。ここに使用されているように、ディスク（ｄｉｓｋ）とディスク（ｄｉｓｃ）は、コンパクトディスク（ｃｏｍｐａｃｔ  ｄｉｓｃ）（ＣＤ）、レーザーディスク（登録商標）（ｌａｓｅｒ  ｄｉｓｃ）、光学ディスク（ｏｐｔｉｃａｌ  ｄｉｓｃ）、デジタル汎用ディスク（ｄｉｇｉｔａｌ  ｖｅｒｓａｔｉｌｅ  ｄｉｓｃ）（ＤＶＤ）、フロッピー（登録商標）ディスク（ｄｉｓｋ）およびブルーレイディスク（ｂｌｕ−ｒａｙ  ｄｉｓｃ）を含んでおり、「ディスク（ｄｉｓｋｓ）」は、大抵、データを磁気で再生しているが、「ディスク（ｄｉｓｃｓ）」は、レーザーで光学的に再生する。上記の組み合わせはまた、コンピュータ可読媒体の範囲内に含む。したがって、いくつかの態様において、コンピュータ可読媒体は、非一時的なコンピュータ可読媒体（例えば具体的な媒体）を備えうる。さらに、他の態様について、コンピュータ可読媒体は、一時的なコンピュータ可読媒体（例えば信号）を備えうる。上記のものの組み合わせも、また、コンピュータ可読媒体の範囲内に含まれるべきである。
【００７０】
したがって、ある態様は、本明細書に示された動作を実行するためのコンピュータプログラム製品を備えうる。例えば、そのようなコンピュータプログラム製品は、その上に格納された（および／または符号化された）命令を有するコンピュータ可読媒体を備える。この命令は、本明細書に説明された動作を実行する１つまたは複数のプロセッサによって実行可能である。ある態様に対して、コンピュータプログラム製品は、パッケージングマテリアルを含みうる。
【００７１】
さらに、本明細書で説明した方法および技法を実行するためのモジュールおよび／または他の適切な手段は、適用可能なようにユーザ端末および／または基地局によってダウンロードされるおよび／または他の場合に取得されることができることを諒解すべきである。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクトディスク（ＣＤ）またはフロッピーディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００７２】
特許請求の範囲は、以上で説明された正確な構成およびコンポーネントに限定されないことが理解されるべきである。さまざまな修正、変更、および変形を、特許請求の範囲の範囲から逸脱せずに、前述した方法および装置の構成、動作、および詳細において実施することができる。
【図１】
2013520083.tif 000007
【図２】
2013520083.tif 000008
【図３】
2013520083.tif 000009
【図４】
2013520083.tif 000010
【図５】
2013520083.tif 000011
【図５Ａ】
2013520083.tif 000012
【国際調査報告】
2013520083.tif 000013
2013520083.tif 000014
2013520083.tif 000015